(57)【要約】【目的】比較的高圧に耐えると共に、フィルタの変形量を抑制すると共に、僅かの変形に対しても十分な復元性を有し、極めて高効率な濾過作業ができるフィルタ装置及びその製造法とすること。【構成】外周立上がり縁２２を有し、所定の深さを有する上下の蓋材２と、襞を有する筒状のフィルタ１と、液状の合成樹脂製接着剤３ａが硬化してなる硬化性板体３と、ネット状シート材４とを備えること。上下の両前記蓋材２に前記ネット状シート材４がそれぞれ配置され、該ネット状シート材４上に前記フィルタ１の上下方向端部が設置され、前記ネット状シート材４と前記フィルタ１の上下方向端部が前記硬化性板体３ａ内に配置されて固定される構成とすること。【選択図】      図１
2018051486.tif 000002
【特許請求の範囲】
【請求項１】
外周立上がり縁を有し、所定の深さを有する上下の蓋材と、襞を有する筒状のフィルタと、液状の合成樹脂製接着剤が硬化してなる硬化性板体と、ネット状シート材とを備え、上下の両前記蓋材に前記ネット状シート材がそれぞれ配置され、該ネット状シート材上に前記フィルタの上下方向端部が設置され、前記ネット状シート材と前記フィルタの上下方向端部が前記硬化性板体内に配置されて固定される構成としてなることを特徴とするフィルタ装置。
【請求項２】
請求項１に記載のフィルタ装置において、前記ネット状シート材は、一方が平坦面とし、他方は突起部を有する凹凸状面とし、該凹凸状面は前記蓋材側に面する構成としてなることを特徴とするフィルタ装置。
【請求項３】
請求項１又は２に記載のフィルタ装置において、前記ネット状シート材の直径は、前記フィルタの外径と同等以上としてなることを特徴とするフィルタ装置。
【請求項４】
請求項１，２又は３の何れか１項に記載のフィルタ装置において、前記ネット状シート材の網目は細かく形成されてなることを特徴とするフィルタ装置。
【請求項５】
請求項１，２，３又は４の何れか１項に記載のフィルタ装置において、前記蓋材の直径中心位置の貫通孔の周囲には円筒状の内筒縁が形成されてなることを特徴とするフィルタ装置。
【請求項６】
外周立上がり縁を有し、所定の深さを有する上下の蓋材に液状の合成樹脂製接着剤を充填すると共にネット状シート材を前記合成樹脂製接着剤内に配置し、襞を有する筒状フィルタの上下方向下端部分を前記合成樹脂製接着剤内で且つ前記ネット状シート材上に配置し、前記合成樹脂製接着剤が硬化して硬化性板体として形成し、前記筒状フィルタの上下方向をひっくり返して上端箇所を下方とした端部に、同様の手順にて前記ネット状シート材，前記硬化性板体及び前記蓋材を設けてなることを特徴とするフィルタ装置の製造法。
【発明の詳細な説明】
【技術分野】
【０００１】
本発明は、比較的高圧に耐えると共に、フィルタの変形量を抑制すると共に、僅かの変形に対しても十分な復元性を有し、極めて高効率な濾過作業ができるフィルタ装置及びその製造法に関する。
【背景技術】
【０００２】
従来より、フィルタ装置としては，その内部のフィルタが、通常，濾紙，繊維，織布又は不織布から構成されている。例えば，放電加工機の加工液浄化するフィルタにおいては、使用する時間につれてスラッジがフィルタに捉えられるに従って，供給側での圧力が高くなり、スラッジで詰まり且つ耐圧力に達する前に、フィルタ効率は極端に落ちるために、その圧力を検知してフィルタ装置を交換している現状である。
【０００３】
該フィルタ装置では、特に、省スペースが要求される現状において、限られたスペース内でフィルタ効率を上げ、可能な限りの濾過面積を確保するために、フィルタを連続する襞状に形成した筒状フィルタとして浄化装置のケース内に収納している。また、放電加工機の加工液浄化のフィルタ装置には，大別すると，スラッジを含み加圧して供給される加工液を，筒状のフィルタの内外のどちら側で濾過するかにより，内圧式フィルタ装置と外圧式フィルタ装置とに区別される。
【０００４】
内圧式フィルタ装置としては、内部にスラッジを集めるので，濾過が進めば進むほど濾過能力が低下する。濾過能力を一定以上にするには，フィルタ全体を大型化せざるを得ず，フィルタを大型化すると，スラッジが蓄積したときに装置全体が重くなり，フィルタの交換の作業性が悪化する。供給される加工液はフィルタに対し外側に向かって圧力を及ぼすので，フィルタを耐圧性のあるものに製作する必要がある。
【０００５】
内圧式フィルタ装置において、加圧すると、フィルタの中央箇所が膨出して筒状フィルタの上下端と、上蓋、下蓋との接着剤箇所が剥がれたり、割れ状態が発生しており、十分な加圧力を掛けることができない欠点があった。また、市販されているフィルタ装置としては、供給される加工液はフィルタに対し外側に向かって圧力を及ぼすため、耐圧性の優れたものを製作している。筒状フィルタの上下端と、上蓋、下蓋とが接着剤にて水密的に固着され、筒状フィルタの上下端と上蓋、下蓋とが一体化している。以上述べたように、濾過フィルタには極めて大きな圧力がかかり、この圧力によってフィルタが破損することが多かった。
【先行技術文献】
【特許文献】
【０００６】
【特許文献１】実開昭６２−１４０９０９号公報
【発明の概要】
【発明が解決しようとする課題】
【０００７】
このような状況に対して、圧力に強いフィルタとして特許文献１が存在する。特許文献１では、フィルタエレメント(10)は、内筒濾紙(12)及び外筒濾紙(14)を備えており、内筒濾紙(12)及び外筒濾紙(14)の上下方向両端にエンドプレート(20)及びエンドプレート(21)が嵌合により接合されている。また、エンドプレート(20)及びエンドプレート(21)には円弧状凹部(32)によって極めて強固な構造にすることが開示されている。
【０００８】
しかし、特許文献１は、エンドプレート(20)及びエンドプレート(21)を強化することが開示されているが、内筒濾紙(12)及び外筒濾紙(14)との接続構造は嵌合する構成としたものである。したがって、濾過動作時にフィルタエレメント(10)にかかる圧力が、比較的低圧力（例えは、１kg／cm２〜約２kg／cm２程度）であっても、エンドプレート(20,21)は、内筒濾紙(12)及び外筒濾紙(14)に対して嵌合による接合であるために、エンドプレート(20)及びエンドプレート(21)が加圧力にて変形などすると、フィルタエレメント(10)から外れてしまうことがあり、使用に供することができないというおそれがある。
【０００９】
さらに、特許文献１では、前述したように、内筒濾紙(12)及び外筒濾紙(14)と、エンドプレート(20)及びエンドプレート(21)とは、嵌合による接合であるため、これを部品として運送したり又は作業する場合においての振動又は外部荷重などの要因にて、フィルタエレメント(10)と、エンドプレート(20)及びエンドプレート(21)とが外れて破損するおそれが十分にあった。
【００１０】
そこで、本発明が解決しようとする課題（技術的課題又は目的等）は、使用圧力にも充分に耐えうるものとしつつ、分解再利用ができるフィルタ装置であって、硬化性板体箇所の破損防止を提供することにあり、硬化性板体箇所を破損防止できるフィルタ装置を提供し、且つその製造も簡単にできるようにすることである。
【課題を解決するための手段】
【００１１】
そこで、発明者は上記課題を解決すべく鋭意、研究を重ねた結果、請求項１の発明を、外周立上がり縁を有し、所定の深さを有する上下の蓋材と、襞を有する筒状のフィルタと、液状の合成樹脂製接着剤が硬化してなる硬化性板体と、ネット状シート材とを備え、上下の両前記蓋材に前記ネット状シート材がそれぞれ配置され、該ネット状シート材上に前記フィルタの上下方向端部が設置され、前記ネット状シート材と前記フィルタの上下方向端部が前記硬化性板体内に配置されて固定される構成としてなるフィルタ装置としたことにより、上記課題を解決した。
【００１２】
請求項２の発明を、請求項１に記載のフィルタ装置において、前記ネット状シート材は、一方が平坦面とし、他方は凹凸状面とし、該凹凸状面は前記蓋材側に面する構成としてなるフィルタ装置としたことにより、上記課題を解決した。請求項３の発明を、請求項１又は２に記載のフィルタ装置において、前記ネット状シート材の直径は、前記フィルタの外径と同等以上としてなるフィルタ装置としたことにより、上記課題を解決した。請求項４の発明を、請求項１，２又は３の何れか１項に記載のフィルタ装置において、前記ネット状シート材の網目は細かく形成されてなるフィルタ装置としたことにより、上記課題を解決した。
【００１３】
請求項５の発明を、請求項１，２，３又は４の何れか１項に記載のフィルタ装置において、前記蓋材の直径中心位置の貫通孔の周囲には円筒状の内筒縁が形成されてなるフィルタ装置としたことにより、上記課題を解決した。請求項６の発明を、外周立上がり縁を有し、所定の深さを有する上下の蓋材に合成樹脂製接着剤を充填すると共にネット状シート材を前記合成樹脂製接着剤内に配置し、襞を有する筒状フィルタの上下方向下端部分を前記合成樹脂製接着剤内で且つ前記ネット状シート材上に配置し、前記合成樹脂製接着剤が硬化して硬化性板体として形成され、前記筒状フィルタの上下方向をひっくり返して上端箇所を下方とした端部に、同様の手順にて前記ネット状シート材，前記硬化性板体及び前記蓋材を設けてなるフィルタ装置の製造法としたことにより、前記課題を解決した。
【発明の効果】
【００１４】
請求項１の発明では、フィルタ装置を極めて強固で且つ耐久性のある構造にすることができる。詳述すると、濾過動作時にはフィルタに圧力がかかり、特にフィルタの上下両端を保護する硬化性板体に大きな圧力がかかる。これによって、硬化性板体と共にフィルタの上下方向の両端部分の形状が変形し、この上下両端を覆う樹脂材又は蓋材等がフィルタから外れたり或いは破損して、濾過性能を劣化させるおそれがあった。
【００１５】
本発明では、フィルタの上下両端を水密的に補強する硬化性板体内に、ネット状シート材が埋め込まれた構成とした。これによって、該ネット状シート材が硬化性板体を補強することができ、該硬化性板体が大きく変形することを防止でき、濾過性能を長期に亘って維持することができる。
【００１６】
また、ネット状シート材自体は、柔軟性を有しており、該ネット状シート材によって硬化性板体の柔軟性を向上させることができる。これによって、硬化性板体は弾性範囲が広くなり、形状の復元が可能な変形範囲も広くなる。このため、硬化性板体自体の柔軟性を維持しつつ、過大な圧力がかかっても硬化性板体が割れることを防止でき、また、硬化性板体を介してフィルタの上下両端に装着された蓋材と、硬化性板体との接合性も良好に維持することができる。したがって、濾過動作時にフィルタと共に上下両端に装着された蓋材が変形しても、硬化性板体は、フィルタの上下両端と蓋材とのそれぞれに対して接合状態を極めて良好に維持することができ、優れた濾過性能を維持することができる。
【００１７】
請求項２の発明では、ネット状シート材は、一方が平坦面とし、他方は突起部を有する凹凸状面とし、該凹凸状面は前記蓋材側に面する構成としたことにより、フィルタ装置を組み付けるときには、ネット状シート材はフィルタの上下両端に設けられた硬化性板体の外端面から僅かに内方側に埋め込まれた構造にすることができる。これによって、ネット状シート材は硬化性板体の内部に位置する構成にすることができ、ネット状シート材による硬化性板体の補強を極めて有効なものとすることができる。
【００１８】
上記効果については、ネット状シート材を蓋材の円板部上に載置すると、ネット状シート材は凹凸面側の突起部によって、円板部上から僅かに浮かび上がった状態にすることができる。この状態で蓋材に液状の合成樹脂製接着剤を注入し、合成樹脂製接着剤が所定時間経過により、硬化性板体となった段階でネット状シート材は、硬化性板体内に埋め込まれた状態にすることが極めて容易にできるものである。本発明では、このような構成に組み付けることが簡単にでき、製造効率も向上させることができる。
【００１９】
請求項３の発明では、ネット状シート材の直径は、前記フィルタの外径と同等以上としたことにより、フィルタの上下方向両端をより一層強固に保護することができる。請求項４の発明では、ネット状シート材の網目は細かく形成されてなる構成としたことにより、ネット状シート材は柔軟性を有しつつも、延性が強化され、ネット状シート材が埋め込まれた硬化性板体とフィルタとをより一層強固に保護することができる。
【００２０】
請求項５の発明では、前記蓋材の直径中心位置には内筒縁が形成されたことにより、該内筒縁をフィルタの上下方向両端で且つ直径方向中心部分に挿入することができ、フィルタと蓋材との接合における位置決めとしての役目を行うことができる。請求項６の発明では、本発明におけるフィルタ装置を極めて効率的に組み付けることができる。
【図面の簡単な説明】
【００２１】
【図１】本発明のフィルタ装置を分解した状態の斜視図、（Ｂ）は本発明の各部を組み立てたフィルタ装置の斜視図である。
【図２】（Ａ）は蓋材にネット状シート材を配置し合成樹脂製接着剤を注入する状態を示す斜視図、（Ｂ）は合成樹脂製接着剤が注入された蓋材のネット状シート材上にフィルタの下端を挿入しようとする状態の斜視図である。
【図３】（Ａ）乃至（Ｄ）はフィルタ装置を組み立てる工程の初期段階を示す略示断面図である。
【図４】（Ａ）は蓋材と硬化性板体とフィルタの要部拡大断面図、（Ｂ）は（Ａ）の（α）部拡大図、（Ｃ）はネット状シート材が配置された蓋材内部に合成樹脂製接着剤を注入している状態を示す要部拡大断面図である。
【図５】（Ａ）は本発明フィルタの濾過動作時に通常の圧力がかかっている状態を示す略示図、（Ｂ）は本発明フィルタの濾過動作時に過度又は異常な圧力が加わっている状態を示す略示図、（Ｃ）は（Ｂ）の（β）部拡大図である。
【発明を実施するための形態】
【００２２】
以下、本発明の実施形態について図面に基づいて説明する。まず、本発明におけるフィルタ装置は、内圧式に対応するタイプであり、主に、フィルタ１と、上下の蓋材２と、合成樹脂製接着剤３ａが硬化した硬化性板体３、ネット状シート材４とを備えたものである（図１参照）。
【００２３】
前記フィルタ１は、紙、繊維、織布又は不織布などで構成されたものであり、断面円形の筒状としたものが基本型である。さらに、濾過効率を上げるように平面的に見て多数の折返し片１１、１１、…が連続する襞状を有し、多数の襞により断面が星形状として環状形成されたものが存在する〔図１（Ａ），図２（Ｂ）参照〕。
【００２４】
筒状のフィルタ１の長手方向を上下方向とするとその下端１ａ及び上端１ｂには、後述する硬化性板体３にて水密且つ補強される。また、フィルタ１の直径方向中心周囲には多数の前記折返し片１１、１１、…集中する芯部１ｃとなっている〔図１（Ｃ）参照〕。該芯部１ｃは上下方向に断面が同一形状となっている。
【００２５】
蓋材２は、上下一対として二つ備えられており、硬質合成樹脂から形成されたものである〔図１（Ａ）参照〕。上下一対の蓋材２は、前記フィルタ１の上下方向両端部分に被せられるようにして装着されるものである。蓋材２は、圧力に対して十分な強度及び耐久性を有することが必要であり、これに適応する材質が使用される。蓋材２は、円板部２１と外周立上り縁２２とからなり、前記円板部２１の外周に沿って円周形状の外周立上り縁２２が形成されている〔図１（Ａ）参照〕。
【００２６】
円板部２１と外周立上り縁２２とは一体形成されている。該外周立上り縁２２の高さは、前記硬化性板体３の厚みにも影響することから、フィルタ１のサイズ等、種々の条件に基づいて適宜選択される。前記円板部２１の中央には、前記外周立上り縁２２と同一（略同一も含む）高さの内筒縁２３が形成されている。該内筒縁２３は吸入口を兼ねている。また、蓋材２は鉄，鋼製等の金属製としてもかまわない。
【００２７】
硬化性板体３は、エポキシ系硬化性接着剤，塩化ビニル系接着剤又はウレタン系硬化性接着剤などの合成樹脂製接着剤３ａにて構成されている。該合成樹脂製接着剤３ａは、常温では、液状であり、具体的にはゲル状又はゼリー状の流動性を有した接着剤である。合成樹脂製接着剤３ａは、容器に保存された状態では、ゲル状又はゼリー状の流動性を有した接着剤であって、外気に触れると所定時間経過後に硬化して強固な硬質の板体となる。このようなものとして、ウレタン系硬化性接着剤の使用が好ましい
【００２８】
次に、ネット状シート材４は、全体が円板形状をなしており、中心に円形状の孔４３が形成されている〔図１（Ａ）参照〕。ネット状シート材４の直径Ｄ2は、前記蓋材２の外周立上り縁２２の内部に収まる程度となっている（図２参照）。具体的には、外周立上り縁２２の内径と略同等又は僅かに小さい程度である。また、前記孔４３は、蓋材２の内筒縁２３が挿通するための部位であり、孔４３の内径は、内筒縁２３の外径と同等又は僅かに大きい程度である。
【００２９】
ネット状シート材４は、合成樹脂製であり、柔軟且つ剛性を有するものである。つまり外力がかかっても、形状が変形しにくいものであり、また、復元性を有し、元の円形状を維持することができるものである。ネット状シート材４は、多数の線状部４１，４１，…が直角に交差して網状となり、これによって多数の小さな網目４２，４２，…を有するものである〔図１（Ａ）参照〕。網目４２は、略方形状であるが円形状とすることもある。
【００３０】
また、ネット状シート材４の両面は異なる実施形態が存在し、一方の面は平坦面４ａとし、他方の面は凹凸面４ｂとなる〔図３（Ａ），図４等参照〕。平坦面４ａは、前記フィルタ１の下端及び上端が当接する側であり、相互に面接触が可能となるように、平坦面４ａは、網目４２，４２，…部分を除いて平坦である。また、凹凸面４ｂは、蓋材２の円板部２１と対面する部位であり、多数の突起部４４，４４，…を有している〔図３（Ａ），図４等参照〕。突起部４４，４４，…は、主に線状部４１，４１，…が交差する部分であり、換言すると方形状の網目４２の４個の角部に形成されている。
【００３１】
前記突起部４４，４４，…によって、ネット状シート材４を蓋材２の円板部２１に載置したときに、前記突起部４４を除いた部分は、円板部２１から僅かに浮いた状態となる（図４参照）。突起部４４によってネット状シート材４が蓋材２の円板部２１から浮かぶ高さは僅かであり、具体的には約１ｍｍ前後である。
【００３２】
ネット状シート材４は、前記硬化性板体３の内部にフィルタ１の上下の端部と共に埋め込まれる状態となり、フィルタ１は上下の蓋材２と共にフィルタ１を保護するものである。また、ネット状シート材４の直径Ｄ2は、フィルタ１の外径Ｄ1と同等以上としている。そして、ネット状シート材４の直径Ｄ2がフィルタ１の直径Ｄ1よりも僅かに大きいことが好ましい。
【００３３】
つまり、
2018051486.tif 000003
である。
【００３４】
次に、本発明のフィルタ装置の製造法について、図２乃至図４等に基づいて説明する。まず、蓋材２の円板部２１上にネット状シート材４を配置する〔図３（Ａ）参照〕。このとき、ネット状シート材４の凹凸面４ｂ側を円板部２１に対向させる。これによって、ネット状シート材４は、多数の突起部４４，４４，…によって、蓋材２の円板部２１上から僅かに浮きあがった状態に設置される。蓋材２の内筒縁２３は、ネット状シート材４の孔４３に挿入させる〔図２（Ａ）参照〕。
【００３５】
次に、蓋材２に液状の合成樹脂製接着剤３ａを注入する〔図２（Ａ），図３（Ｂ）参照〕。該合成樹脂製接着剤３ａの注入工程で、ネット状シート材４は、突起部４４，４４，…により円板部２１から僅かに浮かび上がった状態であるため、合成樹脂製接着剤３ａ内に埋まる状態となる〔図３（Ｂ）参照〕。
【００３６】
ネット状シート材４の網目４２，４２，…部分には、液状の合成樹脂製接着剤３ａが入り込む〔図４（Ｃ）参照〕。また、ネット状シート材４は、突起部４４，４４，…によって、円板部２１上から僅かに浮かび上がる状態なので、ネット状シート材４と円板部２１との間に隙間が生じ、該隙間にも液状の合成樹脂製接着剤３ａが入り込むことになる〔図３（Ｂ），図４（Ｃ）参照〕。液状の合成樹脂製接着剤３ａは、蓋材２に略いっぱいとなるように注入され充填されることになる。
【００３７】
次いで、合成樹脂製接着剤３ａが液状であるうちに、フィルタ１の上下方向の下端１ａを蓋材２に挿入し、ネット状シート材４の平坦面４ａ上に載置する〔図４（Ｃ）参照〕。このとき、フィルタ１の下端部分はネット状シート材４の平坦面４ａ上に面接触状態で当接するように設定する。このままの状態で、液状の合成樹脂製接着剤３ａが自然に硬化するまで待機する〔図３（Ｄ），図４（Ａ），（Ｂ）参照〕。
【００３８】
蓋材２内にて液状の合成樹脂製接着剤３ａが所定時間後に、十分に硬化した状態で、フィルタ１を上下方向にひっくり返し、フィルタ１の上端１ｂであった部分を下方に位置させる。そして、前述したのと同様に、別の蓋材２の円板部２１上にネット状シート材４を載置し、液状の合成樹脂製接着剤３ａを注入し、前記ネット状シート材４の平坦面４ａ上にフィルタ１の上端を載置し、合成樹脂製接着剤３ａを硬化させる。このようにして、フィルタ１の上下方向の下端１ａ及び上端１ｂをネット状シート材４と共に硬化した硬化性板体３にて固め蓋材２にてフィルタ１の上下方向両端を保護する。
【００３９】
本発明における製造法では、蓋材２にネット状シート材４を載置してから液状の合成樹脂製接着剤３ａを注入したが、この手順に限定されるものではない。蓋材２に合成樹脂製接着剤３ａを注入にしてからネット状シート材４及び蓋材２の下端を挿入してもかまわない。
【００４０】
本発明では、硬化した硬化性板体３には、ネット状シート材４が埋め込まれた状態であり、硬化性板体３内にてネット状シート材とフィルタ１の上下方向の端部が当接する構造である。このようにして構成されたフィルタ装置は、図示されないフィルタケースに収納されて濾過器として使用されるものである。
【００４１】
濾過動作中では、フィルタ１に圧力が掛かり、特に上下方向の上端１ｂ及び下端１ａに圧力が集中し易くなる。そのため、過度又は異常な圧力が加わると、フィルタ１の上下方向及び直径方向に変形が生じ易く、フィルタ１の適正な形状が崩れてしまい、良好な濾過動作が発揮できなくなるおそれがある。図５（Ａ）は、濾過動作において、過度又は異常な圧力がかからない状態の図である。また、図５（Ｂ）では過度又は異常な圧力がかかった状態である。フィルタ１は、その中心に位置する芯部１ｃによって、中心部分が他の部分よりも強固となり、濾過動作時に大きな圧力が加わると、フィルタ１の中心付近と外周部分を除く部分が断面略円弧状に凹み、フィルタ１の外周側面部分が外方に膨らむように変形する〔図５（Ｂ）参照〕。
【００４２】
本発明では、フィルタ１の上下方向両端に設けられた硬化性板体３にネット状シート材４が埋め込まれた構成とし、硬化性板体３を介してフィルタ１の下端１ａ及び上端１ｂに蓋材２が設けられたものである。したがって、濾過動作時にフィルタ１の上下に過度又は異常な圧力ｐ，ｐ，…が加わることとなり、前述したように、フィルタ１の中心付近と外周部分を除く部分が断面略円弧状に凹むと、これにしたがって蓋材２も同様に円板部２１の中心部分と外周部分とを除く面が凹状に凹むことになる〔図５（Ｂ）参照〕。
【００４３】
そして、フィルタ１と蓋材２との変形により、硬化性板体３が変形しようとしても、該硬化性板体３内部に埋め込まれたネット状シート材４によって、硬化性板体３は、水平方向復元力ｆｈ及び垂直方向復元力ｆｖが作用し、硬化性板体３及びフィルタ１の上下及び直径両方向に変形することを防止できる〔図５(Ｃ)参照〕。
【００４４】
また、フィルタ１及び蓋材２の多少の変形に対して、硬化性板体３はネット状シート材４と共に、柔軟性を有して変形且つ復元できるので、フィルタ１と蓋材２の両者に対して水密性のある接合を良好に維持することができる。よって、濾過性能を劣化させることなく使用することができる。
【符号の説明】
【００４５】
１…フィルタ、２…蓋材、２２…外周立上がり縁、２３…内筒縁、３…硬化性板体、
３ａ…合成樹脂製接着剤、４…ネット状シート材、４ａ…平坦面、４ｂ…凹凸面、
４４…突起部。
【図１】
2018051486.tif 000004
【図２】
2018051486.tif 000005
【図３】
2018051486.tif 000006
【図４】
2018051486.tif 000007
【図５】
2018051486.tif 000008